(57)【特許請求の範囲】
【請求項１】
外装体により覆われると共に、レリースレバーの移動により中間ギアをカットシートフィーダの供給ローラ駆動ギアに噛み合わせて、カットシートフィーダを動作状態とすると共に、レリース軸を回動させて、リア側シート搬送ローラの接触圧を増大するカットシート使用モードと、レリースレバーの移動により中間ギアをプッシュトラクタユニットのトラクタ駆動ギアに噛み合わせて、プッシュトラクタユニットを動作状態とすると共に、レリース軸を回動させて、リア側シート搬送ローラの接触圧を減少する連続シート使用モードとに、シート使用モードを切り換えるレリース機構を備えた記録装置において、
上記レリースレバーは、上記レリース軸を回動させる動作部を備えたベース部材と、このベース部材に着脱可能に設けられ、上記レリース機構が手動レリース機構である場合に、上記外装体の開口から外方へ突出して上記レリースレバーを移動させるつまみ部材となり、上記レリース機構が自動レリース機構である場合に、上記外装体の上記開口を閉塞する閉塞部材となる交換部材とを有して成り、
上記外装体の開口を臨む位置に、カットシートを表すカットシート表示と、連続シートを表す連続シート表示とを設け、
上記ベース部材に上記つまみ部材を取り付けたときには、該つまみ部材の把持部が、上記カットシート表示または上記連続シート表示のいずれかを指し示して、現在のシート使用モードを表示し、上記ベース部材に上記閉塞部材を取り付けたときには、該閉塞部材の矢印が、上記カットシート表示または上記連続シート表示のいずれかを指し示して、現在のシート使用モードを表示し得るよう構成された
ことを特徴とする記録装置。
【発明の詳細な説明】
【０００１】
【発明の属する技術分野】
本発明は、レリースレバーの移動によりレリース軸を回動してシート使用モードを切り換えるドットインパクトプリンタ等の記録装置に関する。
【０００２】
【従来の技術】
記録装置には、記録ヘッドをプラテンの軸方向に走行させる間に、この記録ヘッドにおける多数の記録ワイヤをインクリボンを介して、上記プラテンの前方に位置するシートに打ち付け、このシートに記録書き込みを実施するドットインパクトプリンタがある。
【０００３】
このようなプリンタは、一般に、レリースレバーを移動させて、レリース軸を回動し、単票紙や複写紙等のカットシートに記録書き込みを実行するためのカットシート使用モードと、連続紙等の連続シートに記録書き込みを実行するための連続シート使用モードとに、シート使用モードを切り換えるレリース機構を備えている。
【０００４】
このレリース機構には、アッパケースに設けられた操作パネルの操作スイッチを操作することによってレリースレバーをモータ駆動により移動させる自動レリース機構と、レリースレバーを手動により直接移動させる手動レリース機構との２つの仕様が存在する。
【０００５】
【発明が解決しようとする課題】
上記自動レリース機構の場合、通常、操作パネル上に現在のシート使用モードが表示されるものの、この表示のみでは、全ての使用者にとって、現在のシート使用モードを瞬時且つ容易に把握することができるとは必ずしも言えない。
【０００６】
また、手動レリース機構におけるレリースレバーは、つまみ部材を含め一体に設けられている。このため、手動レリース機構と自動レリース機構において、レリースレバーは２種類必要となる。レリースレバーは、一般に大形部材であって金型費が高いことから、上述のように２種類のレリースレバーが必要になると、コストが上昇してしまう。
【０００７】
更に、レリースレバーがつまみ部を含めて一体に形成されているので、このつまみ部のみが破損した場合にも、レリースレバーの全体を交換しなければならず、プリンタのサービス性が低下してしまう。
【０００８】
また、自動レリース機構を備えたプリンタの場合にも、手動レリース機構を備えたプリンタの場合にも、外装品としてのケースを共通部品化すると、自動レリース機構を備えたプリンタの場合には、手動レリース機構におけるレリースレバーのつまみ部が外部へ突出するケースの開口を閉塞する処理を実施しなければならず、この点からも、プリンタのコストが上昇してしまう。
【０００９】
上述の事情を考慮し、請求項１に記載の発明の目的は、現在のシート使用モードを瞬時且つ容易に把握できる記録装置を提供することにあり、また、レリースレバーの一部を共通部品化してコストを低減できる記録装置を提供することにある。
【００１０】
【課題を解決するための手段】
請求項１に記載の発明は、外装体により覆われると共に、レリースレバーの移動により中間ギアをカットシートフィーダの供給ローラ駆動ギアに噛み合わせて、カットシートフィーダを動作状態とすると共に、レリース軸を回動させて、リア側シート搬送ローラの接触圧を増大するカットシート使用モードと、レリースレバーの移動により中間ギアをプッシュトラクタユニットのトラクタ駆動ギアに噛み合わせて、プッシュトラクタユニットを動作状態とすると共に、レリース軸を回動させて、リア側シート搬送ローラの接触圧を減少する連続シート使用モードとに、シート使用モードを切り換えるレリース機構を備えた記録装置において、上記レリースレバーは、上記レリース軸を回動させる動作部を備えたベース部材と、このベース部材に着脱可能に設けられ、上記レリース機構が手動レリース機構である場合に、上記外装体の開口から外方へ突出して上記レリースレバーを移動させるつまみ部材となり、上記レリース機構が自動レリース機構である場合に、上記外装体の上記開口を閉塞する閉塞部材となる交換部材とを有して成り、上記外装体の開口を臨む位置に、カットシートを表すカットシート表示と、連続シートを表す連続シート表示とを設け、上記ベース部材に上記つまみ部材を取り付けたときには、該つまみ部材の把持部が、上記カットシート表示または上記連続シート表示のいずれかを指し示して、現在のシート使用モードを表示し、上記ベース部材に上記閉塞部材を取り付けたときには、該閉塞部材の矢印が、上記カットシート表示または上記連続シート表示のいずれかを指し示して、現在のシート使用モードを表示し得るよう構成されたものである。
【００１４】
レリースレバーに、外装体の外部から目視可能なインジケータ部が形成され、このインジケータ部が現在のシート使用モードを表示し得るよう構成されたことから、たとえ、外装体の操作パネルにシート使用モードが表示されている場合であっても、上記インジケータ部を目視することによって、現在のシート使用モードを瞬時且つ容易に把握できる。
【００１６】
レリース機構に、レリースレバーをモータ駆動させる自動レリース機構と、レリースレバーを手動で移動させる手動レリース機構とがある場合、レリースレバーが、レリース軸を回動させる動作部を備えたベース部材と、このベース部材に着脱可能に設けられた交換部材とを有し、この交換部材が、外装体の開口から外方へ突出してレリースレバーを移動させるつまみ部材と、外装体の開口を閉塞する閉塞部材とのいずれかであることから、レリースレバーの交換部材を変更することにより、レリースレバーを上記２仕様のレリース機構に対応させることができるので、コストを低減できる。
【００１７】
また、外装体を、自動レリース機構を備えた記録装置と手動レリース機構を備えた記録装置とで共通部品化した場合、自動レリース機構の場合には、レリースレバーの交換部材を閉塞部材とすることで外装体の開口を閉塞できるので、この外装体の開口を閉塞するための特別な処理が必要なくなり、この点からも、コストの上昇を回避できる。
【００１８】
更に、レリースレバーにおける交換部材のつまみ部材が破損した場合には、このつまみ部材のみを交換すれば足り、レリースレバーの全体を交換する必要がないので、記録装置のサービス性を向上させることができる。
【００１９】
【発明の実施の形態】
以下、本発明の実施の形態を、図面に基づき説明する。
【００２０】
図１は、本発明に係る記録装置の一実施の形態が適用され、自動レリース機構を備えたドットインパクトプリンタを示す斜視図である。図３は、図１のプリンタにおけるプリンタ本体を示す斜視図である。
【００２１】
図１及び図２に示す記録装置としてのプリンタ１０は、多数の記録ワイヤを、インクリボン（共に図示せず）を介してシートに打ち付けてドットを記録することにより、文字を含む画像を印刷するドットインパクトプリンタである。
【００２２】
このプリンタ１０は、記録装置本体としてのプリンタ本体１１と、このプリンタ本体１１の後方側に配置されたプッシュトラクタユニット１２（図２）と、プリンタ本体１１の上方、下方をそれぞれ覆う外装体としてのアッパケース１３Ａ及びロアケース１３Ｂと、プリンタ本体１１の前方側に設置されてカットシートの供給を案内するシート供給ガイド４３と、プリンタ本体１１の後方側で、プッシュトラクタユニット１２の上方位置に設置され、カットシートをプリンタ本体１１の記録機構部へ１枚づつ供給するカットシートフィーダ４４（図１）と、を有して構成される。
【００２３】
上記シートには、所定長さに切断された上記カットシートＫと、複数枚が連接された連続シートとがある。カットシートＫとしては、例えば単票紙、複写紙又はカットフィルム等があり、連続シートとしては連続紙がある。
【００２４】
上記プリンタ本体１１は、図３及び図６に示すように、本体フレームとしてのベースフレーム１４、リアフレーム１５、左サイドフレーム１６及び右サイドフレーム１７と、記録機構部としての記録ヘッド１８及びキャリッジ１９と、シート搬送機構部としてのプラテン２０、シート案内２５、第１搬送ローラ２１、第２搬送ローラ２２、第３搬送ローラ２３及び第４搬送ローラ２４と、を有して構成される。
【００２５】
ベースフレーム１４及びリアフレーム１５の略両端部に、左サイドフレーム１６及び右サイドフレーム１７が立設して固定される。これらの左サイドフレーム１６と右サイドフレーム１７間に、キャリッジガイド軸２６が架け渡されて回動自在に枢支される。更に、左サイドフレーム１６と右サイドフレーム１７間にプラテン２０が架け渡されて回転自在に配設されると共に、更にシート案内２５が固定して配設される。
【００２６】
プラテン２０を含む上記シート搬送機構部は、図３及び図６に示すように、プラテン２０に対し、第１搬送ローラ２１及び第２搬送ローラ２２がプリンタ本体１１の前方側に、第３搬送ローラ２３及び第４搬送ローラ２４がプリンタ本体１１の後方側にそれぞれ配置されて構成される。第１搬送ローラ２１と第２搬送ローラ２２が当接状態で上下に配置されて対をなし、フロント側シート搬送ローラ２７を構成する。また、第３搬送ローラ２３と第４搬送ローラ２４とが当接状態で上下に配置されて対をなし、リア側シート搬送ローラ３７を構成する。
【００２７】
このうち、第１搬送ローラ２１及び第４搬送ローラ２４が後述の如く駆動ローラであり、第２搬送ローラ２２及び第３搬送ローラ２３が従動ローラである。また、第１搬送ローラ２１及び第３搬送ローラ２３は、プラテン２０と共にシート案内２５の下方に配置され、第２搬送ローラ２２及び第４搬送ローラ２４はシート案内２５の上方に配置される。プラテン２０、第１搬送ローラ２１及び第３搬送ローラ２３の上部は、シート案内２５の上方に突出した状態となっている。
【００２８】
プラテン２０、第１搬送ローラ２１及び第４搬送ローラ２４は、図３に示す駆動輪列部３４により正または逆方向に回転駆動される。この駆動輪列部３４は左サイドフレーム１６又は右サイドフレーム１７の一方、例えば左サイドフレーム１６に設置される。
【００２９】
この駆動輪列部３４は、正転又は逆転可能なシート搬送モータ３５の駆動軸に回転一体に固定されたモータピニオン３６を備える。このモータピニオン３６からの駆動力が、複数の減速ギア４８、４９及び５０を介してプラテン２０へ伝達され、更に、減速ギア５０から減速ギア５１及び５２を介して第１搬送ローラ２１へ伝達され、更に、減速ギア４９から減速ギア５３及び５４を経て第４搬送ローラ２４へ伝達される。
【００３０】
これにより、プラテン２０及び第１搬送ローラ２１が同一方向に、第４搬送ローラ２４が反対方向に回転して、カットシートまたは連続シートを、プリンタ本体１１の前方から後方へ矢印Ａ（図６）方向へ搬送可能とし、または、プリンタ本体１１の後方から前方へ矢印Ｂ（図６）方向へ搬送可能とする。従って、カットシート及び連続シートは、キャリッジ１９の後述の主走査方向に直交する副走査方向に搬送される。
【００３１】
図４及び図６に示す上記プッシュトラクタユニット１２は、連続シート（例えば連続紙）を、プラテン２０を備えた上記シート搬送機構部へ供給するものであり、左右一対のトラクタ２８を有する。これらのトラクタ２８は、トラクタ駆動軸２９に回転一体且つ軸方向摺動自在に軸支されたトラクタ駆動プーリ（不図示）と、トラクタガイド軸３０に回転自在且つ軸方向に摺動自在に軸支されたトラクタ従動プーリ（不図示）とにトラクタベルト３１が巻き掛けられ、シート押え蓋３２を備えて構成される。
【００３２】
一対のトラクタ２８間の距離は、搬送すべき連続シート（連続紙）の幅寸法に応じて調整可能とされる。また、トラクタベルト３１の全外周に突設された複数本のピン３３が、連続シートの幅方向両側に穿設された穴（不図示）に係合可能とされる。このトラクタベルト３１も前述の駆動輪列部３４（図３）により駆動される。
【００３３】
つまり、駆動輪列部３４のモータピニオン３６からの駆動力は、図４に示すように、第４搬送ローラ２４のローラ軸に設けられた伝動ギア５５から、中間ギア５６及び５７を経て、プッシュトラクタユニット１２のトラクタ駆動軸２９に固定されたトラクタ駆動ギア（不図示）へ伝達され、これによりプッシュトラクタユニット１２のトラクタベルト３１が駆動可能とされる。
【００３４】
このプッシュトラクタユニット１２は、プラテン２０、フロント側シート搬送ローラ２７（第１搬送ローラ２１及び第２搬送ローラ２２）並びにリア側シート搬送ローラ３７（第３搬送ローラ２３及び第４搬送ローラ２４）と共に連続紙等の連続シートを、主にプリンタ本体１１の後方から前方へ矢印Ｂ（図６）方向に搬送し、または、プリンタ本体１１の前方から後方へ矢印Ａ方向に搬送可能とする。
【００３５】
図１に示す前記シート供給ガイド４３は、プリンタ本体１１の前方側において、アッパケース１３Ａに着脱自在に設置される。このシート供給ガイド４３は、単票紙又は複写紙等のカットシートを、プリンタ本体１１の前方から後方へ手差しで１枚ずつ供給する際に、このカットシートを案内する。このシート供給ガイド４３により案内されたカットシートは、プラテン２０、フロント側シート搬送ローラ２７及びリア側シート搬送ローラ３７等のシート搬送機構部により搬送される。
【００３６】
同じく図１に示す前記カットシートフィーダ４４は、プリンタ本体１１の後方側に設置されて、単票紙又は複写紙等のカットシートを、プリンタ本体１１の後方から前方へ１枚ずつ自動供給するものである。
【００３７】
つまり、このカットシートフィーダ４４は、図示しないが、供給ローラの回転動作によって、複数枚のカットシートを積層状態で保持するホッパから、最上位のカットシートをピックアップして供給し、この際、最上位のカットシートと共に重送されるカットシートを、分離機構にて分離するものである。供給ローラの一又は複数回転により、１枚のカットシートがプリンタ本体１１へ供給される。
【００３８】
このカットシートフィーダ４４の供給ローラも、前述の駆動輪列部３４（図３）により駆動される。即ち、駆動輪列部３４のモータピニオン３６からの駆動力は、図４に示すように、第４搬送ローラ２４のローラ軸に設けられた伝動ギア５５から、中間ギア５６及び５７を経てカットシートフィーダ４４の供給ローラ駆動ギア（不図示）へ伝達され、これにより、カットシートフィーダ４４の供給ローラが駆動される。
【００３９】
上記中間ギア５７を、カットシートフィーダ４４の供給ローラ駆動ギアと前述のプッシュトラクタユニット１２のトラクタ駆動ギアとに選択的に噛み合わせ可能とし、且つリア側シート搬送ローラ３７の接触圧を変更可能とする機構がレリース機構５８である。このレリース機構５８は、プリンタ１０に供給されるシートの種類（カットシート、連続シート）に応じてプリンタ１０のシート使用モードを切り換えるものであり、レリース軸５９、レリースレバー６０及びレリース駆動モータ６１を有して構成される。
【００４０】
レリース軸５９の端部にはピニオン６２が形成され、このピニオン６２がレリースレバー６０のベース部６０Ａにおけるラック６３に噛み合わされている。また、レリースレバー６０のベース部６０Ａには図示しないラックが形成され、このラックがレリース駆動モータ６１のモータピニオン（不図示）に噛み合わされて、レリース駆動モータ６１の駆動によりレリースレバー６０が、プリンタ１０の前後方向に移動可能とされる。
【００４１】
一方、レリース軸５９には、このレリース軸５９の回動によって、リア側シート搬送ローラ３７の第３搬送ローラ２３を第４搬送ローラ２４方向へ移動させ、または第４搬送ローラ２４から離反させるカム（不図示）が形成されている。また、レリースレバー６０のベース部６０Ａには、レリースレバー６０の移動によって中間ギア５７を、プッシュトラクタユニット１２のトラクタ駆動ギアとカットシートフィーダ４４の供給ローラ駆動ギア（カットシートフィーダ４４がプリンタ本体１１に装着されている場合に限る。）とに択一に噛み合わせ可能とするカム６４が形成されている。
【００４２】
レリースレバー６０が移動されて連続シート位置に設定され、プリンタ１０が連続シート使用モードに切り換えられることにより、カム６４の作用で、中間ギア５７がプッシュトラクタユニット１２のトラクタ駆動ギアに噛み合い、プッシュトラクタユニット１２が動作状態となると共に、レリース軸５９が回動して、このレリース軸５９のカムの作用で、リア側シート搬送ローラ３７の第３搬送ローラ２３を第４搬送ローラ２４から離反する方向に移動させ、第３搬送ローラ２３と第４搬送ローラ２４との接触圧を減少させる。
【００４３】
また、レリースレバー６０が移動されてカットシート位置に設置され、プリンタ１０がカットシート使用モードに切り換えられることにより、カム６４の作用で、プリンタ本体１１にカットシートフィーダ４４が装着されている場合に限り、中間ギア５７がカットシートフィーダ４４の供給ローラ駆動ギアに噛み合い、カットシートフィーダ４４が動作状態となると共に、レリース軸５９が回動して、このレリース軸５９のカムの作用で、リア側シート搬送ローラ３７の第３搬送ローラ２３を第４搬送ローラ２４へ押圧し、第３搬送ローラ２３と第４搬送ローラ２４との接触圧を増大させる。
【００４４】
さて、図３に示す前記キャリッジ１９は、キャリッジガイド軸２６に摺動自在に挿通されると共に、リアフレーム１５の上端部に摺接され、更に記録ヘッド１８を搭載する。キャリッジガイド軸２６がプラテン２０と平行に配置されることから、キャリッジ１９は、これらプラテン２０、キャリッジガイド軸２６の軸方向と一致する主走査方向に走行（走査）可能に設けられる。
【００４５】
このキャリッジ１９は、キャリッジ駆動モータ３８の正転又は逆転により往復移動されるタイミングベルト３９（図６）に結合される。従って、キャリッジ１９は、キャリッジ駆動モータ３８の正転又は逆転により、タイミングベルト３９を介し、キャリッジガイド軸２６に案内されて、主走査方向における図３の左向き又は右向きに走査される。ここで、キャリッジ駆動モータ３８は、シート搬送モータ３５及びレリース駆動モータ６１とともに例えばステッピングモータにて構成される。
【００４６】
また、キャリッジ１９には、図５にも示すように、リボンカセット装着部４０が設けられ、このリボンカセット装着部４０に、インクリボンを収納したリボンカセット４０Ａが装着される。更にキャリッジ１９には、リボンカセットのインクリボンを、プラテン２０に接して搬送されるシート（カットシートまたは連続シート）から保護するリボンマスクホルダ４１が設置されている。リボンカセット４０Ａ内のインクリボンは、リボンカセット装着部４０に設置されたリボン駆動軸４２により、記録ヘッド１８の記録ワイヤの前方を移動可能に設けられる。
【００４７】
上記記録ヘッド１８は多数の記録ワイヤ（不図示）を備え、これらの記録ワイヤの突出方向前方に、上述の如くインクリボンが位置する。記録ヘッド１８は、キャリッジ１９と共に主走査方向に走行される間に、記録ワイヤを突出させてインクリボンに打ち当て、このインクリボンのインクを、プラテン２０と記録ヘッド１８との間に搬送されるシート（カットシート又は連続シート）に付着させて、このシートに文字を含む画像を記録する。
【００４８】
記録ヘッド１８による記録動作は、キャリッジ１９が図３の主走査方向左向き又は右向きに走行される間に、記録ヘッド１８の記録ワイヤにより一行文の記録がなされ、この一行文の記録がなされる度に、シートがカットシートの場合には、シート搬送機構部（プラテン２０、第１搬送ローラ２１、第２搬送ローラ２２、第３搬送ローラ２３及び第４搬送ローラ２４）が、またシートが連続シートの場合には、上記シート搬送機構部及びプッシュトラクタユニット１２が、それぞれシートを所定長（通常行間分）搬送させ、これらの動作が繰り返されることにより実施される。
【００４９】
ところで、前述のレリース機構５８は、図７に示すように、アッパケース１３Ａに設けられた操作パネル７６内の操作スイッチ７７を操作することにより、図４に示すレリース駆動モータ６１が動作して、レリースレバー６０が移動する自動レリース機構である。従って、以後、符号５８を自動レリース機構と称する。
【００５０】
また、ドットインパクトプリンタには、図１０及び図１１に示すように、レリースレバー８２が手動で移動される手動レリース機構８１を備えたプリンタ８０がある。手動レリース機構８１は、自動レリース機構５８のレリース駆動モータ６１が存在せず、また、レリースレバー８２の構造が異なる点を除き、自動レリース機構５８と同様に構成される。
【００５１】
ここで、図７及び図１０に示すように、手動レリース機構８１を備えたプリンタ８０と、自動レリース機構５８を備えたプリンタ１０とで、アッパケース１３Ａ及びロアケース１３Ｂは共通部品である。従って、このアッパケース１３Ａの前方部における例えば右側には、プリンタ８０の場合もプリンタ１０の場合も開口８３が形成されている。そして、アッパケース１３Ａには、この開口８３を臨む位置に、図８に示すように、カットシートを表すカットシート表示８４と、連続シートを表す連続シート表示８５とが刻接されている。
【００５２】
図９及び図１２に示すように、上記手動レリース機構８１におけるレリースレバー８２と、自動レリース機構５８のレリースレバー６０とは、動作部としてのラック６３が形成されたベース部６０Ａは共通部品であるが、ベース部６０Ａに着脱自在に設けられた交換部材が異なる。
【００５３】
手動レリース機構８１におけるレリースレバー８２の交換部材は、図１２に示すように、手動操作のために把持可能な把持部９１を備えたつまみ部材８６である。このつまみ部材８６の把持部９１は、図１０に示すように、プリンタ８０のアッパケース１３Ａにおける開口８３から外方へ突出して配設される。
【００５４】
このつまみ部材８６が使用者により把持されて操作されることにより、図１１に示すレリースレバー８２がプリンタ８０の前後方向に移動されて、レリース軸５９が回転され、且つ、カム６４の作用で中間ギア５７が、カットシートフィーダ４４の供給ローラ駆動ギア（カットシートフィーダ４４がプリンタ８０に装着されている場合に限る。）と、プッシュトラクタユニット１２のトラクタ駆動ギアとに選択的に噛み合って、シート使用モードが切り換えられる。レリースレバー８２のつまみ部材８６における把持部９１は、カットシート使用モードに切り換えられたときに、アッパケース１３Ａのカットシート表示８４対応位置に位置付けられ、連続シート使用モードに切り換えられたときに、アッパケース１３Ａの連続シート表示８５対応位置に位置付けられる。
【００５５】
一方、図９に示す自動レリース機構５８におけるレリースレバー６０の交換部材は、表面に例えば矢印８７が表示されたインジケータ部材８８である。このインジケータ部材８８は、図７に示すように、プリンタ１０におけるアッパケース１３Ａの開口８３を下方から閉塞する閉塞部材として機能すると共に、開口８３を通して、その矢印８７がプリンタ１０の外部から目視可能に設けられる。
【００５６】
そして、このインジケータ部材８８の矢印８７は、レリース駆動モータ６１の動作によりレリースレバー６０が移動して、プリンタ１０がカットシート使用モードに切り換えられたときには、上記レリースレバー６０の移動によりアッパケース１３Ａのカットシート表示８４対応位置に位置付けられ、また、連続シート使用モードに切り換えられたときには、レリースレバー６０の移動によりアッパケース１３Ａの連続シート表示８５対応位置に位置付けられて、現在の使用モードを表示する。
【００５７】
また、上記つまみ部材８６、上記インジケータ部材８８は、それらの係合突起９０が、レリースレバー８２、６０のそれぞれのベース部６０Ａの先端に形成された溝８９に嵌合または離脱されて、上述の如くベース部６０Ａに着脱可能に設けられる。
【００５８】
従って、上記実施の形態によれば、次の効果▲１▼〜▲４▼を奏する。
【００５９】
▲１▼自動レリース機構５８におけるレリースレバー６０に、アッパケース１３Ａの開口８３を通して外部から目視可能なインジケータ部材８８が形成され、このインジケータ部材８８が、アッパケース１３Ａのカットシート表示８４及び連続シート表示８５との協働作用で現在のシート使用モードを表示し得るよう構成されたことから、たとえアッパケース１３Ａの操作パネル７６にシート使用モードが表示されている場合であっても、インジケータ部材８８の矢印８７を目視することによって、プリンタ１０の現在のシート使用モードを瞬時且つ容易に把握できる。
【００６０】
▲２▼レリースレバー６０をレリース駆動モータ６１により駆動させる自動レリース機構５８と、レリースレバー８２を手動で移動させる手動レリース機構８１とがある場合、レリースレバー６０、８２が、レリース軸５９を回動させるラック６３を備えたベース部６０Ａと、このベース部６０Ａに着脱可能に設けられた交換部材とを有して成り、この交換部材が、アッパケース１３Ａの開口８３から外方へ突出してレリースレバー８２を移動させるつまみ部材８６と、アッパケース１３Ａの開口８３を閉塞する閉塞部材としてのインジケータ部材８８とのいずれかであることから、この交換部材を変更することにより、レリースレバー６０、８２を上記２仕様のレリース機構（自動レリース機構５８、手動レリース機構８１）に容易に対応させることができるので、コストを低減できる。
【００６１】
▲３▼アッパケース１３Ａを、自動レリース機構５８を備えたプリンタ１０と、手動レリース機構８１を備えたプリンタ８０とで共通部品化した場合、自動レリース機構５８の場合には、レリースレバー６０のインジケータ部材８８を閉塞部材として機能させてアッパケース１３Ａの開口８３を閉塞できるので、このアッパケース１３Ａの開口８３を閉塞するための特別な処理が必要なくなり、この点からも、プリンタ１０のコストの上昇を回避できる。
【００６２】
▲４▼手動レリース機構８１においては、レリースレバー８２のつまみ部材８６が破損した場合に、このつまみ部材８６のみを交換すれば足り、レリースレバー８２の全体を交換する必要がないので、プリンタ８０のサービス性を向上させることができる。
【００６３】
以上、本発明を上記実施の形態に基づいて説明したが、本発明はこれに限定されるものではない。
【００６４】
例えば、自動レリース機構５８におけるレリースレバー６０の交換部材は、矢印８７が表示されたインジケータ部材８８ではなく、アッパケース１３Ａの開口８３を単に閉塞する閉塞部材であってもよい。
【００６５】
【発明の効果】
請求項１に記載の発明に係る記録装置によれば、レリース機構が、自動レリース機構であり、レリースレバーには、外装体の外部から目視可能なインジケータ部が形成され、このインジケータ部が現在のシート使用モードを表示し得るよう構成されたことから、シート使用モードが、操作パネル上の表示以外にも表示されることとなり、現在のシート使用モードを瞬時且つ容易に把握できる。
【００６６】
また、この記録装置によれば、レリースレバーの移動によりレリース軸を回動させて、シート使用モードを切り換えるレリース機構を備えた記録装置において、上記レリースレバーは、レリース軸を回動させる動作部を備えたベース部材と、このベース部材に着脱可能に設けられた交換部材とを有して成り、上記交換部材が、外装体の開口から外方へ突出して上記レリースレバーを移動させるつまみ部材と、上記外装体の上記開口を閉塞する閉塞部材とのいずれかであることから、レリースレバーの一部（ベース部材）を共通部品化してコストを低減できる。
【図面の簡単な説明】
【図１】本発明に係る記録装置の一実施の形態が適用され、自動レリース機構を備えたドットインパクトプリンタを示す斜視図である。
【図２】図１のプリンタで、カットシートフィーダを取り外した状態の斜視図である。
【図３】図１のプリンタにおけるプリンタ本体を示す斜視図である。
【図４】図３のプリンタ本体のシート搬送機構部を示す斜視図である。
【図５】図３のプリンタ本体を別の角度から目視した斜視図である。
【図６】図３のVＩ−VＩ線に沿う断面図である。
【図７】図１のプリンタの一部を拡大して示す斜視図である。
【図８】図７の開口８３の周囲を示す図である。
【図９】図４のレリースレバーを示す分解斜視図である。
【図１０】図７に対応し、手動レリース機構を備えたドットインパクトプリンタの部分斜視図である。
【図１１】図１０のプリンタにおける手動レリース機構を示す図４に対応した斜視図である。
【図１２】図１１のレリースレバーを示す図９に対応した分解斜視図である。
【符号の説明】
１０  プリンタ（記録装置）
１３Ａ  アッパケース（外装体）
５８  レリース機構（自動レリース機構）
５９  レリース軸
６０  レリースレバー
６０Ａ  ベース部
６３  ラック（動作部）
７６  操作パネル
８０  プリンタ（記録装置）
８１  手動レリース機構
８２  レリースレバー
８３  開口
８４  カットシート表示
８５  連続シート表示
８６  つまみ部材（交換部材）
８７  矢印
８８  インジケータ部材（交換部材、閉塞部材）
【図１】
0004154846.tif 000002
【図２】
0004154846.tif 000003
【図３】
0004154846.tif 000004
【図４】
0004154846.tif 000005
【図５】
0004154846.tif 000006
【図６】
0004154846.tif 000007
【図７】
0004154846.tif 000008
【図８】
0004154846.tif 000009
【図９】
0004154846.tif 000010
【図１０】
0004154846.tif 000011
【図１１】
0004154846.tif 000012
【図１２】
0004154846.tif 000013